(57)【要約】      （修正有）【課題】ＣＤやＤＶＤといった中心孔が設けられたディスクの収容や取り出しといった操作を容易とし、しかも簡易な構造でディスクが損傷することなく保管することができるディスク収容ケースを提供する。【解決手段】ディスク収容ケース１０は、第１折り部１１を介して折り重ねるように連設している開閉可能な第１カバー１及び第２カバー２とから構成され、内面１ａに先端領域がディスクの中心孔に挿通されることとなるディスク保持片３を突出して備える。ディスク保持片は、第１カバーを閉じるとき、この閉じ動作に追従して第２カバーに接近しつつ、第１カバーと対向することとなる第２カバーの内面２ａに沿って移動し、第１カバーと第２カバーとの間に挟み込まれるように倒伏する。また、ディスク保持片は、第１カバーの開くとき、この開き動作に応じて第２カバーの内面から離れるように第１カバーの内面上で起立する。【選択図】図１
2010095282.tif 000002
【特許請求の範囲】
【請求項１】
第１折り部を介して折り重ねるように連設している開閉可能な第１カバー及び第２カバーとから構成され、ＣＤやＤＶＤといった中心孔が設けられたディスクを収容するケースであって、
前記第１カバーは、閉じることで前記第２カバーと対向することとなる内面に、先端領域が前記ディスクの中心孔に挿通されることとなるディスク保持片を突出して備え、
前記ディスク保持片は、前記第１カバーを閉じるとき、この閉じ動作に追従して倒伏すると共に、前記第１カバーの開くとき、この開き動作に応じて前記第１カバーの内面上で起立する、
ことを特徴とするディスク収容ケース。
【請求項２】
前記ディスク保持片は、前記第１カバーの内面に取り付けられた固定領域と、前記内面より立ち上がる起立領域とを有し、前記固定領域と前記起立領域は、第２折り部を介して連成している、
ことを特徴とする請求項１に記載のディスク収容ケース。
【請求項３】
前記ディスク保持片は、前記第２折り部において谷折り側から山折り側へ向かって打ち抜かれて形成されたミシン目を有する、
ことを特徴とする請求項２に記載のディスク収容ケース。
【請求項４】
前記ディスク保持片は、前記ディスクの挿通を制御する段差部を備える、
ことを特徴とする請求項１乃至３のいずれか１項に記載のディスク収容ケース。
【請求項５】
前記第２カバーは、閉じることで前記第１カバーと対向することとなる内面に前記ディスクを収容する凹部を備える、
ことを特徴とする請求項１乃至４のいずれか１項に記載のディスク収容ケース。
【請求項６】
前記第２カバーは、前記凹部の上縁部から中央部へ向かって僅かに迫り出すディスク押さえ片を備える、
ことを特徴とする請求項５に記載のディスク収容ケース。
【請求項７】
前記第１カバーと前記第２カバーとが前記第１折り部を介して連接されると共に、前記第１カバーと前記ディスク保持片とが第３折り部を介して連接された一枚のシートを折ることにより形成されている、
ことを特徴とする請求項１乃至６のいずれか１項に記載のディスク収容ケース。
【請求項８】
前記シートは、全体が紙材で形成されていることを特徴とする請求項７に記載のディスク収容ケース。
【請求項９】
前記第１カバー又は前記第２カバーは、立体的な箱型収容部を連設して備える、
ことを特徴とする請求項１乃至８のいずれか１項に記載のディスク収容ケース。
【請求項１０】
前記箱型収容部は、前記第１カバー又は前記第２カバーと連接され、第４折り部を介して前記第２カバー又は前記第１カバーの外面に向かって折り返し可能である、
ことを特徴とする請求項９に記載のディスク収容ケース。
【請求項１１】
第１折り部を介して折り重ねるように連設している開閉可能な第１カバー及び第２カバーと、から構成され、ＣＤやＤＶＤといった中心孔が設けられたディスクを収容し、前記第１カバーは、閉じることで前記第２カバーと対向することとなる内面に、先端領域が前記ディスクの中心孔に挿通されることとなるディスク保持片を突出して備え、前記ディスク保持片は、前記第１カバーを閉じるとき、この閉じ動作に追従して倒伏すると共に、前記第１カバーの開くとき、この開き動作に応じて前記第１カバーの内面上で起立することとなるディスク収容ケースを形成するためのシートであって、
前記ディスクを覆うことが可能な大きさをそれぞれ有する第１カバー部と第２カバー部とを連接して備えると共に、前記ディスクの中心孔に挿通されることとなる先端領域を有するディスク保持片部を前記第１カバー部に連接して備え、
前記第１カバー部と第２カバー部とを区分し、一面側において山折りとなる第１折り部と、
前記ディスク保持片部において、前記第１カバー部へ取り付けられこととなる固定領域と、前記第１カバー部へ取り付けられることなく立ち上がる起立領域とを区分し、一面側において谷折りとなる第２折り部と、
前記第１カバー部と前記ディスク保持部とを区分し、一面側において山折りとなる第３折り部と、
を有することを特徴とするディスク収容ケース形成用シート。
【請求項１２】
第１折り部を介して折り重ねるように連設している開閉可能な第１カバー及び第２カバーと、第４折り部を介して折り重ねるように前記第１カバー又は前記第２カバーと連接する立体的な箱型収容部とから構成され、ＣＤやＤＶＤといった中心孔が設けられたディスクを収容し、前記第１カバーは、閉じることで前記第２カバーと対向することとなる内面に、先端領域が前記ディスクの中心孔に挿通されることとなるディスク保持片を突出して備え、前記ディスク保持片は、前記第１カバーを閉じるとき、この閉じ動作に追従して倒伏すると共に、前記第１カバーの開くとき、この開き動作に応じて前記第１カバーの内面上で起立することとなるディスク収容ケースを形成するためのシートであって、
前記ディスクを覆うことが可能な大きさをそれぞれ有する第１カバー部と第２カバー部とを連接して備えると共に、前記ディスクの中心孔に挿通されることとなる先端領域を有するディスク保持片部を前記第１カバー部に連接して備え、さらに、組み立て可能とする立体的な箱型収容組み立て部を前記第１カバー部又は前記第２カバー部と連接に連接して備え、
前記第１カバー部と第２カバー部とを区分し、一面側において山折りとなる第１折り部と、
前記ディスク保持片部において、前記第１カバー部へ取り付けられこととなる固定領域と、前記第１カバー部へ取り付けられることなく立ち上がる起立領域とを区分し、一面側において谷折りとなる第２折り部と、
前記第１カバー部と前記ディスク保持片部とを区分し、一面側において山折りとなる第３折り部と、
前記第１カバー部又は前記第２カバー部と前記箱型収容部とを区分し、一面側において山折りとなる第４折り部と、
を少なくとも有することを特徴とするディスク収容ケース形成用シート。
【請求項１３】
前記一面側には、印刷が施されていることを特徴とする請求項１１又は１２に記載のディスク収容ケース形成用シート。
【請求項１４】
前記シートは、全体が紙材で形成されていることを特徴とする請求項１１乃至１３のいずれか１項に記載のディスク収容ケース形成用シート。
【発明の詳細な説明】
【技術分野】
【０００１】
本願発明は、ＣＤやＤＶＤといった情報記録媒体であるディスクを収容して保管するディスク収容ケースに係り、詳しくは、中心孔が設けられたディスクの収容や取り出しといった操作を容易とし、しかも簡易な構造でディスクが損傷することなく保管することができる技術に関する。
【背景技術】
【０００２】
ＣＤやＤＶＤといった中心孔が設けられたディスクを収容するディスク収容ケースとしては、ディスクを収容する空間を備える皿状のケース本体と、このケース本体に連結され、ヒンジ部を介して開閉自在に合掌される蓋体とから構成されるものが一般的に広く知られている。このようなディスク収容ケースでは、ディスクの収容状態においてディスクが浮遊して損傷しないように、ディスクの外周縁部や中心孔周縁部の複数個所を突起等で係止し、収容空間内において平面状に収容して保持するようにしている。したがって、このような突起等での係止によるディスクの保持の場合、ディスクを取り出すためには、ディスクの外周に指先を掛け、突起等による係止力に抗する力を加えてその係止を解除するようにしなければならない。
【０００３】
ところが、ディスクはケース本体の収容空間内に平面状に収容されているため、取り出す際に指先がディスクの外周に掛かり難いと共に、指先を掛ける位置が制限され、ケース本体より取り出し辛いものである。しかも、突起等による係止力に抗して取り出す際の力の加減や、ディスクを保持するための指先を掛ける位置などを考慮しなければ容易に取り出すことができず、その操作が面倒で煩わしいものであった。
【０００４】
そこで、このような突起等によるディスクの係止を解除するための煩わしさを解消するものとして、折重ね可能な左右のカバーと、該カバー間に折り込む保持部と、該保持部の頂部に開口する開口部と、該開口部にコンパクトディスクを挿入して該コンパクトディスクの孔の上部と係合する該保持部の頂部に設けた切欠きを備え、該保持部は、前記カバーを左右に開くことにより山形に起立し、前記頂部の切欠きを介して支持するコンパクトディスクを回転させることで、ディスクの出し入れを簡単にするようにした手段を有するＣＤ用の包装ケースが提案されている（特許文献１を参照）。
【０００５】
しかしながら、上記特許文献１に記載された手段では、保持部の頂部に開口する開口部に対してディスクを径方向に差し込むと共に、この保持部の頂部に形成する突片に対してディスクの孔を挿入し、さらに、この頂部に設けた切欠きを介してディスクを支持する。そのため、ディスクの取り出しにおいては、突片からディスクの孔を外すと共に、開口部からディスクの径方向部分を抜き出さなければならない。すなわち、突片からディスクの孔を外す方向への動作と、開口部からディスクの径方向部分を抜き出す方向への動作とを要する。また、ディスクの収容においても、ディスクの取り出しとは逆の二つの動作を要する。
【０００６】
したがって、突起等による係止力に抗してディスクを取り出す際の力の加減や、ディスクを保持するための指先の掛け位置などを考慮する必要は無くなったが、代わりに、突片からディスクの孔を外すと共に、開口部からディスクの径方向部分を抜き出すといった二段階の動作を要するため、未だディスクの取り出しや収容といった操作が面倒で煩わしいものであった。特に、ディスクの収容において、狭い開口部へのディスクの径方向部分の指し込みを行いながら、突片へのディスクの孔の挿入を行うのは非常に煩わしいものである。
【０００７】
また、上記特許文献１に記載された手段では、突片からディスクの孔が十分に外れていない中途半端な状態で、ディスクの径方向部分を開口部から抜き出す方向への動作を行ってしまったとき、ディスクの孔が突片の先端部に引っ掛かることでディスクを手から滑らせ床面等に落下させ、ディスクを破損させてしまう虞や、情報記録面を傷つけてしまう虞がある。
【０００８】
さらに、上記特許文献１に記載された手段では、ディスクの孔に挿通される突片の向きが、左右のカバーを折重ねたときに単にカバー同士が重なっただけの開口するケース縁部側を向いているものであるため、ケースの向きによっては、突片からディスクの孔が解除されると共に、開口部からディスクの径方向部分の解除が同時になされ、無意識のうちにディスクがケースから落下してしまう虞もある。
【特許文献１】特開２００２−２３４５８８号公報
【発明の開示】
【発明が解決しようとする課題】
【０００９】
本発明は、上記事情に鑑みて成されたものであり、中心孔が設けられたディスクの収容や取り出しといった操作を容易とし、しかも簡易な構造でディスクが損傷することなく保管することができるディスク収容ケースを提供することを目的とする。
また、本発明は、中心孔が設けられたディスクの収容や取り出しといった操作を容易とするディスク収容ケースを効率良く簡単に形成することができるディスク収容ケース形成用シートを提供することを他の目的とする。
【課題を解決するための手段】
【００１０】
本発明の請求項１に係るディスク収容ケースは、第１折り部を介して折り重ねるように連設している開閉可能な第１カバー及び第２カバーとから構成され、ＣＤやＤＶＤといった中心孔が設けられたディスクを収容するケースであって、前記第１カバーは、閉じることで前記第２カバーと対向することとなる内面に、先端領域が前記ディスクの中心孔に挿通されることとなるディスク保持片を突出して備え、前記ディスク保持片は、前記第１カバーを閉じるとき、この閉じ動作に追従して倒伏すると共に、前記第１カバーの開くとき、この開き動作に応じて前記第１カバーの内面上で起立することを特徴とする。
【００１１】
本発明の請求項２に係るディスク収容ケースは、前記請求項１に係るディスク収容ケースにおいて、前記ディスク保持片が、前記第１カバーの内面に取り付けられた固定領域と、前記内面より立ち上がる起立領域とを有し、前記固定領域と前記起立領域は、第２折り部を介して連成していることを特徴とする。
【００１２】
本発明の請求項３に係るディスク収容ケースは、前記請求項２に係るディスク収容ケースにおいて、前記ディスク保持片が、前記第２折り部において谷折り側から山折り側へ向かって打ち抜かれて形成されたミシン目を有することを特徴とする。
【００１３】
本発明の請求項４に係るディスク収容ケースは、前記請求項１乃至３のいずれか１項に係るディスク収容ケースにおいて、前記ディスク保持片が、前記ディスクの中心孔の挿通を途中で制御する段差部を備えることを特徴とする。
【００１４】
本発明の請求項５に係るディスク収容ケースは、前記請求項１乃至４のいずれか１項に係るディスク収容ケースにおいて、前記第２カバーが、閉じることで前記第１カバーと対向することとなる内面に前記ディスクを収容する凹部を備えることを特徴とする。
【００１５】
本発明の請求項６に係るディスク収容ケースは、前記請求項５に係るディスク収容ケースにおいて、前記第２カバーが、前記凹部の上縁部から中央部へ向かって僅かに迫り出すディスク押さえ片を備えることを特徴とする。
【００１６】
本発明の請求項７に係るディスク収容ケースは、前記請求項１乃至６のいずれか１項に係るディスク収容ケースにおいて、前記第１カバーと前記第２カバーとが前記第１折り部を介して連接されると共に、前記第１カバーと前記ディスク保持片とが第３折り部を介して連接された一枚のシートを折ることにより形成されていることを特徴とする。
【００１７】
本発明の請求項８に係るディスク収容ケースは、前記請求項７に係るディスク収容ケースにおいて、前記シートは、全体が紙材で形成されていることを特徴とする。
【００１８】
本発明の請求項９に係るディスク収容ケースは、前記請求項１乃至８のいずれか１項に係るディスク収容ケースにおいて、前記第１カバー又は前記第２カバーが、立体的な箱型収容部を連設して備えることを特徴とする。
【００１９】
本発明の請求項１０に係るディスク収容ケースは、前記請求項９に係るディスク収容ケースにおいて、前記箱型収容部が、前記第１カバー又は前記第２カバーと連接され、第４折り部を介して前記第２カバー又は前記第１カバーの外面に向かって折り返し可能であることを特徴とする。
【００２０】
本発明の請求項１１に係るディスク収容ケース形成用シートは、第１折り部を介して折り重ねるように連設している開閉可能な第１カバー及び第２カバーと、から構成され、ＣＤやＤＶＤといった中心孔が設けられたディスクを収容し、前記第１カバーは、閉じることで前記第２カバーと対向することとなる内面に、先端領域が前記ディスクの中心孔に挿通されることとなるディスク保持片を突出して備え、前記ディスク保持片は、前記第１カバーを閉じるとき、この閉じ動作に追従して倒伏すると共に、前記第１カバーの開くとき、この開き動作に応じて前記第１カバーの内面上で起立することとなるディスク収容ケースを形成するためのシートであって、前記ディスクを覆うことが可能な大きさをそれぞれ有する第１カバー部と第２カバー部とを連接して備えると共に、前記ディスクの中心孔に挿通されることとなる先端領域を有するディスク保持片部を前記第１カバー部に連接して備え、前記第１カバー部と第２カバー部とを区分し、一面側において山折りとなる第１折り部と、前記ディスク保持片部において、前記第１カバー部へ取り付けられこととなる固定領域と、前記第１カバー部へ取り付けられることなく立ち上がる起立領域とを区分し、一面側において谷折りとなる第２折り部と、前記第１カバー部と前記ディスク保持部とを区分し、一面側において山折りとなる第３折り部と、を有することを特徴とする。
【００２１】
本発明の請求項１２に係るディスク収容ケース形成用シートは、第１折り部を介して折り重ねるように連設している開閉可能な第１カバー及び第２カバーと、第４折り部を介して折り重ねるように前記第１カバー又は前記第２カバーと連接する立体的な箱型収容部とから構成され、ＣＤやＤＶＤといった中心孔が設けられたディスクを収容し、前記第１カバーは、閉じることで前記第２カバーと対向することとなる内面に、先端領域が前記ディスクの中心孔に挿通されることとなるディスク保持片を突出して備え、前記ディスク保持片は、前記第１カバーを閉じるとき、この閉じ動作に追従して倒伏すると共に、前記第１カバーの開くとき、この開き動作に応じて前記第１カバーの内面上で起立することとなるディスク収容ケースを形成するためのシートであって、前記ディスクを覆うことが可能な大きさをそれぞれ有する第１カバー部と第２カバー部とを連接して備えると共に、前記ディスクの中心孔に挿通されることとなる先端領域を有するディスク保持片部を前記第１カバー部に連接して備え、さらに、組み立て可能とする立体的な箱型収容組み立て部を前記第１カバー部又は前記第２カバー部と連接に連接して備え、前記第１カバー部と第２カバー部とを区分し、一面側において山折りとなる第１折り部と、前記ディスク保持片部において、前記第１カバー部へ取り付けられこととなる固定領域と、前記第１カバー部へ取り付けられることなく立ち上がる起立領域とを区分し、一面側において谷折りとなる第２折り部と、前記第１カバー部と前記ディスク保持片部とを区分し、一面側において山折りとなる第３折り部と、前記第１カバー部又は前記第２カバー部と前記箱型収容部とを区分し、一面側において山折りとなる第４折り部と、を少なくとも有することを特徴とする。
【００２２】
本発明の請求項１３に係るディスク収容ケース形成用シートは、請求項１１又は１２に係るディスク収容ケース形成用シートにおいて、前記一面側には、印刷が施されていることを特徴とする。
【００２３】
本発明の請求項１４に係るディスク収容ケース形成用シートは、請求項１１乃至１３のいずれか１項に係るディスク収容ケース形成用シートにおいて、前記シートは、全体が紙材で形成されていることを特徴とする。
【発明の効果】
【００２４】
本発明のディスク収容ケースは、  第１折り部を介して折り重ねるように連設している開閉可能な第１カバー及び第２カバーとから構成され、閉じることで第２カバーと対向することとなる第１カバーの内面に、第１カバーを閉じるとき、この閉じ動作に追従して倒伏すると共に、第１カバーの開くとき、この開き動作に応じて第１カバーの内面上で起立し、先端領域がディスクの中心孔に挿通されることとなるディスク保持片を突出して備える。ゆえに、ディスクの収容においては、第１カバーを開くことで起立するディスク保持片の先端領域に対して、ディスクの中心孔を挿通するように、ディスク保持片の起立方向に沿ってディスクを移動させ、ディスクの外周縁部の一部が第２カバーの内面に位置するように、ディスクを斜めに架け渡して配置する。そうすると、そのまま第１カバーを閉じることで、これに追従してディスクを保持するディスク保持片が倒伏すると共に、このディスク保持片の倒伏に伴って、ディスクはディスク保持片の先端領域にその中心孔を挿通した状態を維持しながら、第２カバーの内面上に位置するディスクの外周縁部が滑るように第２カバーの内面に沿って移動しながら倒伏する。そして、第１カバーと第２カバーとの間に挟み込まれるように、中心孔が先端領域に挿通されたままディスクが保持、収容されることになる。一方、ディスクの取り出しにおいては、第１カバーを開くと、これに追従してディスク保持片が第２カバーの内面より離れるように起立し、このディスク保持片の起立に伴って、ディスクはディスク保持片の先端領域にその中心孔を挿通した状態を維持しながら、ディスクの外周縁部の一部が滑るように第２カバーの内面に沿って移動し、ディスクは外周縁部の一部が第２カバーの内面に位置した状態で斜めに架け渡すように起き上がる。そして、ディスクの中心孔をディスク保持片の先端領域から外すように、ディスク保持片の起立方向に沿ってディスクを移動させる。これにより、ディスクがケースから取り出される。
したがって、中心孔が設けられたディスクの収容や取り出しといった操作を容易とし、しかも簡易な構造でディスクが損傷することなく保管することができるディスク収容ケースを提供することができる。
【００２５】
また、本発明のディスク収容ケース形成用シートは、少なくとも、ディスクを覆うことが可能な大きさをそれぞれ有する第１カバー部と第２カバー部とを連接して備えると共に、ディスクの中心孔に挿通されることとなる先端領域を有するディスク保持片部を第１カバー部に連接して備える。また、第１カバー部と第２カバー部とを区分し、一面側において山折りとなる第１折り部と、ディスク保持片部において、第１カバー部へ取り付けられこととなる固定領域と、第１カバー部へ取り付けられることなく立ち上がる起立領域とを区分し、一面側において谷折りとなる第２折り部と、第１カバー部とディスク保持部とを区分し、一面側において山折りとなる第３折り部とを有する。ゆえに、ディスク収容ケースの形成においては、ディスク収容ケース形成用シートの一面側を裏にして他面側を表にした状態で、第３折り部を谷折りして第１カバー部とディスク保持部とを折り重ねると共に、第２折り部を山折りしてディスク保持片部における起立領域を立ち上がらせ、さらに、第１折り部を谷折りして第１カバー部と第２カバー部とを折り重ねる。これにより、閉じることで第２カバーと対向することとなる第１カバーの内面に、第１カバーを閉じるとき、この閉じ動作に追従して倒伏すると共に、第１カバーの開くとき、この開き動作に応じて第１カバーの内面上で起立し、先端領域がディスクの中心孔に挿通されることとなるディスク保持片を突出して備えるディスク収容ケースとすることができる。
したがって、中心孔が設けられたディスクの収容や取り出しといった操作を容易とするディスク収容ケースを効率良く簡単に形成することができるディスク収容ケースを提供することができる。
【発明を実施するための最良の形態】
【００２６】
以下、本発明における実施の形態の一例について、図面を参照して説明する。
本発明で意図するディスク収容ケースは、折り部を介して折り重ねるように連設している開閉可能な第１カバー及び第２カバーとから構成され、ＣＤやＤＶＤといった中心孔が設けられたディスクを収容するものである。
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２７】
＜第１の実施の形態＞
図１は、本発明に係るディスク収容ケースを示す図であり、図1（ａ）は第１カバーと第２カバーとを折り重ねるように閉じた状態示す斜視図であり、図1（ｂ）は第１カバーを開いた状態示す斜視図である。
図１に示すように、本実施の形態におけるディスク収容ケース１０は、第１折り部１１を介して折り重ねるように連設している開閉可能な第１カバー１と第２カバー２とから構成されている。したがって、ディスク収容ケース１０は、図1（ａ）中の一転鎖線の矢印で示すように、第１カバー１と第２カバー２とを折り重ねるように第１折り部１１において閉じたり、図1（ｂ）中の一転鎖線の矢印で示すように、第２カバー２を露呈させるように第１カバー１を開いたりすることが可能なものとなっている。
【００２８】
第１カバー１は、閉じることで第２カバー２と対向することとなる内面１ａに、ディスクＤの中心孔ｄに挿通されることとなる先端領域３３を有するディスク保持片３を突出して備える。すなわち、ディスク保持片３は、第１カバー１と第２カバー２とを区分する第１折り部１１より、第１カバー１側に少しずれた位置に設けられている。これにより、第１カバー１の開閉に伴ってディスク保持片３が起伏するものとなる。
【００２９】
そして、図２に示すように、ディスク収容ケース１０は、ディスク保持片３の先端領域３３にディスクＤの中心孔ｄを挿通することで、取り出し易いようにディスクＤを斜めに立てて支持する。また、ディスク収容ケース１０は、ディスクＤが無闇に飛び出さないようにディスクＤの中心孔ｄを先端領域３３に挿通したまま倒伏してディスクＤを保管する。
【００３０】
ここで、第１カバー１と第２カバー２の開閉操作に伴うディスク保持片３の動きは、図３に示すことができる。図３は、本発明に係るディスク収容ケースの開閉操作に伴うディスク保持片の動作を説明する模式図である。
図３（ａ）において、図中の一転鎖線の矢印で示すようにディスク収容ケース１０の第１カバー１の開くと、ディスク保持片３はこの開き動作に応じて、図中の二転鎖線の矢印で示すように第２カバー２の内面２ａから離れるように第１カバー１の内面１ａ上で起立する状態が示されている。
また、図３（ｂ）において、ディスクＤの中心孔ｄをディスク保持片３の先端領域３３に挿通することで、ディスクＤを斜めに立てて第２カバー２の内面２ａ上に支持する状態が示されている。このとき、ディスク保持片３は、ディスクＤを支持することでその重みにより、起立状態が第２カバー２側へ少し傾斜した状態となる。そして、図３（ｂ）中の一転鎖線の矢印で示すように第１カバー１を閉じると、この閉じ動作に追従してディスク保持片３は倒伏する。
【００３１】
図３（ｃ）において、第１カバー１が半分ほど閉じられると、ディスク保持片３はこの閉じ動作に追従して第２カバー２に接近し、ディスクＤも下端周縁部が第２カバー２の内面２ａに沿って滑るように移動して倒伏する状態が示されている。
さらに、図３（ｄ）において、第１カバー１を第２カバー２に重ねるように閉じると、ディスク保持片３は第２カバー２の内面２ａに沿ってさらに移動し、第１カバー１と第２カバー２との間に挟み込まれるように倒伏する状態が示されている。したがって、ディスクＤは中心孔ｄをディスク保持片３の先端領域３３に挿通した状態のまま倒伏してディスク収容ケース１０内に保管されたものとなっている。これにより、ディスク保持片３がディスクＤの動きを制御し、ディスクＤはディスク収容ケース１０から無闇に飛び出さないものとなる。
【００３２】
そして、ディスク収容ケース１０の第１カバー１を開くときは、上述した動きとは逆に、図３（ｄ）において示す状態から図３（ｃ）において示す状態、図３（ｂ）において示す状態となり、ディスク保持片３の起立動作に伴って、ディスクＤが、第２カバー２の内面２ａ上に斜めに立てられた状態に支持されるものとなる。
【００３３】
また、ディスク保持片３は、第１カバー１の内面１ａに突出して一体的に形成されたものでも良いが、第１カバー１の内面１ａに取り付けられる固定領域と、第１カバー１の内面１ａより立ち上がる起立領域とを有し、固定領域と起立領域とが、第２折り部を介して連成しているものとすると望ましい。この固定領域と起立領域とが、第２折り部を介して連成しているディスク保持片は、たとえば図４に示すことができる。
図４において、第１カバー１の内面１ａに取り付けられる固定領域３１と、第１カバー１の内面１ａより立ち上がる起立領域３２とを有し、固定領域３１と起立領域３２とが、第２折り部１２を介して連成しているディスク保持片３が示されている。これにより、第１カバー１の内面１ａにおける所望の箇所へディスク保持片３を後から取り付けることができると共に、第１カバー１とディスク保持片３とが連成された一枚のシートで一体的に効率良く形成することができる。
【００３４】
また、ディスク保持片３は、ディスクの中心孔の挿通を途中で阻止するように、先端部から基端部へ向かいにしたがって徐々に幅広となるように形成されたテーパ状をしたものとすることができる。ところが、ディスク保持片３は、テーパ状に形成したものであると、材質によっては使用回数が増すにつれてテーパ面が摺れ、ディスクＤが必要以上にディスク保持片３の基端部側へ挿入され、第１カバー１と第２カバーの折り重ねに支障をきたしてしまう虞がある。
そこで、ディスク保持片３は、ディスクＤの中心孔ｄの挿通を途中で制御又は阻止する段差部を備えるものとすると望ましい。この段差部を備えるディスク保持片は、たとえば図５に示すことができる。
図５において、ディスク保持片３の先端領域３３の幅ｗ１より広い幅ｗ２を有する段差部３５が示されている。この段差部３５は、ディスクＤの中心孔ｄ縁部が係止することとなる先端領域３３の幅に比して急に幅広となる部分である。これにより、ディスクＤが必要以上にディスク保持片３の基端部側へ挿入されることを段差部３５によって確実に防止することができる。
【００３５】
また、ディスク保持片３は、固定領域３１と起立領域３２とを第２折り部１２を介して連成したものとした場合、第２折り部１２において谷折り側から山折り側へ向かって打ち抜かれて形成されたミシン目を有するものとすると望ましい。このミシン目を有するディスク保持片は、たとえば図６に示すことができる。図６は、本発明に係るディスク収容ケースにおけるディスク保持片の構造を説明する図であり、図６（ａ）は倒伏状態を示す部分拡大側面図、図６（ｂ）は起立状態を示す部分拡大側面図である。
図６（ａ）において、ディスク保持片３の固定領域３１と起立領域３２とを区分けする第２折り部１２となる箇所を、図中矢印で示すように、第２折り部１２としての谷折り側から山折り側へ向かってミシン歯で打ち抜き、ミシン目３４が形成されることが示されている。
また、図６（ｂ）において、第２折り部１２よりディスク保持片３を折り曲げ、起立領域３２を立ち上がらせることが示されている。
【００３６】
すなわち、第２折り部１２としての谷折り側から山折り側へ向かってミシン歯で打ち抜くと、打ち抜いた側（谷折り側）から打ち抜かれた側（山折り側）へ向かってやや湾曲するミシン目３４が形成される。そして、このミシン目３４は、切れ目部分が第２折り部１２でのディスク保持片３の折り曲げを容易なものとすると共に、湾曲する部分がその圧接力によって折り曲げ状態が元に戻る（すなわち、平面状になる）ことを抑制するものとなる。したがって、ディスク保持片３によってディスクＤを支持する際、ミシン目３４の湾曲する部分がディスク保持片３の起立状態を維持するようにディスクＤの重み抗するように作用し、ディスク保持片３が倒伏することを抑止するものとなる。
【００３７】
一方、第２カバー２は、その内面２ａが平坦な状態をしたものであっても良いが、閉じることで第１カバー１と対向することとなる内面２ａにディスクの一部を収容する凹部２１を備えるものとすると望ましい。この凹部２１は、ディスクＤの厚み相当の深さを有する空間であれば良い。凹部２１を備えることにより、ディスクＤを確実に第２カバー２の内面２ａ側において保持することができる。
【００３８】
また、第２カバー２は、凹部２１を有する場合、ディスクＤの上縁部を覆うように凹部２１の上縁部から中央部へ向かって僅かに迫り出す庇状のディスク押さえ片２２を備えるものとすると望ましい。このディスク押さえ片２２を備えることにより、ディスクＤが凹部２１から無闇にずれることを防止し、ディスクＤをより一層確実に第２カバー２の内面２ａ側において保持することができる。
【００３９】
以上のように構成されたディスク収容ケース１０は、第１カバー１と第２カバー２とが第１折り部１１を介して連接されると共に、第１カバー１とディスクＤの中心孔ｄに挿通されることとなる先端領域３３を備えるディスク保持部３とが第３折り部１３を介して連接され、さらに、ディスク保持部３が、第１カバー１の内面１ａに取り付けられる固定領域３１と、第１カバー１の内面１ａより立ち上がる起立領域３２とを有し、固定領域３１と起立領域３２とが、第２折り部１２を介して連成している一枚のシートを折ることにより形成されているものとすると望ましい。
【００４０】
ここで、第１カバー１と第２カバー２とディスク保持部３とが一体的に形成されたシートとしては、たとえば、図７に示すようなディスク収容ケース形成用シートとすることができる。図７は、本発明に係るディスク収容ケース１０を形成するディスク収容ケース形成用シートを示す平面図である。
図７において、ディスク収容ケース形成用シート１００は、ディスクＤを覆うことが可能な大きさをそれぞれ有する第１カバー部１０１と第２カバー部１０２とを連接して備える。この第２カバー部１０２は、第２カバー基部となる第２カバー部第１シート片１０２ａと、凹部２１を形成するための凹部用第１孔部１２１ａを有し、ディスク押さえ片２２を備える第２カバー部第２シート片１０２ｂと、凹部２１を形成するための凹部用第２孔部１２１ｂを有する第２カバー部第３シート片１０２ｃとによって構成されている。また、第１カバー部１０１は、ディスクＤの中心孔ｄに挿通されることとなる先端領域３３を有するディスク保持片部１０３を連接して備える。
【００４１】
また、ディスク収容ケース形成用シート１００は、第１カバー部１０２と第２カバー部（第２カバー部第１シート片）１０２ａとを区分し、一面１００ａ側において山折りとなる第１折り部１１を有する。また、ディスク保持片部１０３において、第１カバー部１０１へ取り付けられこととなる固定領域３１と、第１カバー部１０１へ取り付けられることなく立ち上がる起立領域３２とを区分し、一面１００ａ側において谷折りとなる第２折り部１２を有する。この第２折り部１２は、ミシン目３４を有すると望ましい。また、第１カバー部１０１とディスク保持部１０３とを区分し、一面１００ａ側において山折りとなる第３折り部１３とを有する。
【００４２】
また、第２カバー部１０２は、第２カバー部第１シート片１０２ａと第２カバー部第２シート片１０２ｂとを区分し、一面１００ａ側において山折りとなる凹部用第１折り部４１、及び第２カバー部第２シート片１０２ｂと第２カバー部第３シート片１０２ｃとを区分し、一面１００ａ側において山折りとなる凹部用第２折り部４２を有する。したがって、凹部用第２折り部４２において第２カバー部第３シート片１０２ｃを折り込むと共に、凹部用第１折り部４１において第２カバー部第２シート片１０２ｂ折り込むことで、上縁部にディスク押さえ片２２を備える凹部２１を、第２カバー部１０２上に効率良く簡単に形成することができる。
【００４３】
また、このディスク収容ケース形成用シート１００は、全体が紙材で形成されていると望ましい。紙材としては、ディスクＤを保管するケースとして強度と、ディスクＤを支持するディスク保持部３を起立可能とすることを考慮すると共に、型抜き、折り曲げ、及び貼付が可能なものとする。これにより、ディスク収容ケースを折り紙のように簡単に折って形成することができると共に、合成樹脂製のものに比して環境への配慮を施したディスク収容ケースとすることができる。また、ディスク収容ケースの軽量化を図ることもできる。さらに、ディスク収容ケース表面への印刷等の加工が容易で、効率良く行なえるものとすることができる。しかも、ディスク収容ケース１の表面等に印刷が施されたものとする場合、ディスク収容ケース形成用シート１００の状態において一面１００ａ側に印刷が施されると、シートを折ることで印刷が施された面が露呈するようにディスク収容ケース１を形成することができる。
【００４４】
次に、以上のように構成されたディスク収容ケース形成用シート１００を用いてディスク収容ケース１０を形成する場合の折り方について説明する。図８及び図９は、ディスク収容ケースを形成する手順を順次説明する図である。
まず、図８（ａ）に示すように、ディスク収容ケース形成用シート１００の他面１００ｂ側を表にして準備し、第２カバー部第２シート片１０２ｂの上へ第２カバー部第３シート片１０２ｃを重ねるように、凹部用第２折り部４２において第２カバー部１０２を折り込む。
次いで、図８（ｂ）に示すように、第２カバー部第１シート片１０２ａの上へ第２カバー部第２シート片１０２ｂを重ねて、第２カバー部第３シート片１０２ｃを、第２カバー部第１シート片１０２ａと第２カバー部第２シート片１０２ｂとで挟み込むように、凹部用第１折り部４１において第２カバー部１０２を折り込む。
【００４５】
これにより、上縁部にディスク押さえ片２２を備える凹部２１を有する第２カバー２を、効率良く簡単に形成することができる。したがって、第２カバー２は、第２カバー部第１シート片１０２ａと第２カバー部第２シート片１０２ｂと第２カバー部第３シート片１０２ｃとによって構成されている。
【００４６】
また、図９（ａ）に示すように、第１カバー部１０１の上へディスク保持片部１０３を重ねるように、第３折り部１３において折り込み、固定領域３１部分を第１カバー部１０１へ取り付ける。
引き続き、図９（ｂ）に示すように、第１カバー部１０１へ取り付けられることなく立ち上がることとなる起立領域３２を第２折り部１２において折り返す。
【００４７】
これにより、図９（ｃ）に示すように、第１折り部１１を介して折り重ねるように連設している開閉可能な第１カバー１と第２カバー２とから構成され、第１カバーは、閉じることで第２カバーと対向することとなる内面１ａに、先端領域３３がディスクの中心孔に挿通されることとなるディスク保持片３を突出して備えるディスク収容ケース１０を、一枚のディスク収容ケース形成用シート１００を用いて一体的に効率良く形成することができる。
なお、ディスク収容ケース形成用シート１００の一面１００ａ側に予め印刷が施されていれば、このとき、ディスク収容ケースにおいて露呈する面、すなわち第１カバー１と第２カバー２の内外両面に印刷が施されたものとなっている。
【００４８】
＜第２の実施の形態＞
また、本発明のディスク収容ケースは、ディスクに記録された内容に関連する文書や図面、サンプル等の物品を一緒に収容することもできる。すなわち、上述した第１の実施の形態とは、関連する物品等の収容部を備える点で異なる。
なお、以下に述べる他の各実施の形態では、上述した第１の実施の形態と異なる部分を中心に説明する。したがって、第１の実施の形態と同様の構成部分は同じ符号を付してその説明は省略し、特に説明しない限り同じであるものとする。
【００４９】
図１０は、本発明に係る他のディスク収容ケースを示す図であり、図1０（ａ）は第１カバーと第２カバーと箱型収容部とを開いた状態から第１カバーと第２カバーとを折り重ねるように閉じることを示す斜視図であり、図1０（ｂ）は第１カバーと第２カバーとを折り重ねるように閉じた状態から箱型収容部を第１カバーへ向かって折り重ねるように閉じることを示す斜視図である。
図１０に示すように、本実施の形態におけるディスク収容ケース５０は、第１折り部１１を介して折り重ねるように連設している開閉可能な第１カバー１と第２カバー２、及び第４折り部１４を介して折り重ねるように連設している開閉可能な箱型収容部４とから構成されている。
【００５０】
図１０において、箱型収容部４は、第２カバー２と連接され、第４折り部１４を介して第１カバー１の外面に向かって折り返し可能となっている。したがって、ディスク収容ケース５０は、図1０（ａ）中の一転鎖線の矢印で示すように、第１カバー１と第２カバー２とを折り重ねるように第１折り部１１において閉じた後、さらに、図1０（ｂ）中の一転鎖線の矢印で示すように、第１カバー１の外面に向かって折り返すように箱型収容部４を第４折り部１４において閉じることが可能なものとなっている。なお、第４折り部１４は、箱型収容部４の厚みと、折り重ねた第１カバー１及び第２カバー２の厚みとを併せた厚みに相当する間隔を有して離れる二つの折り部１４ａ，１４ｂとからなる。したがって、二つの折り部１４ａ，１４ｂに挟まれた領域の背側に、タイトル等を記載しておくことで、所望の情報が記録されたディスクを収容するディスク収容ケース５０を容易に探し出すことができる。
【００５１】
第１カバー１は、閉じることで第２カバー２と対向することとなる内面１ａに、ディスクＤの中心孔ｄに挿通されることとなる先端領域３３を有するディスク保持片３を突出して備える。このディスク保持片３は、図３を参照して上述したように、ディスク収容ケース５０の開閉操作に伴って動作する。
【００５２】
また、ディスク保持片３は、第１カバー１の内面１ａに突出して一体的に形成されたものでも良いが、図４に示すように、第１カバー１の内面１ａに取り付けられる固定領域３１と、第１カバー１の内面１ａより立ち上がる起立領域３２とを有し、固定領域３１と起立領域３２とが、第２折り部１２を介して連成しているものとすると望ましい。固定領域３１と起立領域３２とを第２折り部１２を介して連成したものとした場合、第２折り部１２において谷折り側から山折り側へ向かって打ち抜かれて形成されたミシン目を有するものとすると望ましい。
【００５３】
また、ディスク保持片３は、ディスクの中心孔の挿通を途中で阻止するように、先端部から基端部へ向かいにしたがって徐々に幅広となるように形成されたテーパ状をしたものとすることができる。ところが、ディスク保持片３は、テーパ状に形成したものであると、材質によっては使用回数が増すにつれてテーパ面が摺れ、ディスクＤが必要以上にディスク保持片３の基端部側へ挿入され、第１カバー１と第２カバーの折り重ねに支障をきたしてしまう虞がある。したがって、ディスク保持片３は、ディスクＤの中心孔ｄの挿通を途中で制御又は阻止する段差部３５を備えるものとすると望ましい。
【００５４】
一方、第２カバー２は、閉じることで第１カバー１と対向することとなる内面２ａにディスクの一部を収容する凹部２１を備えるものとすると望ましい。
また、第２カバー２は、凹部２１を有する場合、ディスクＤの上縁部を覆うように凹部２１の上縁部から中央部へ向かって僅かに迫り出す庇状のディスク押さえ片２２を備えるものとすると望ましい。
【００５５】
以上のように構成されたディスク収容ケース５０は、少なくとも箱型収容部４の厚みに相当する幅を有するものとなるので、図１１に示すように、ディスクＤを収容した後、背側を正面に向けて立てて保管することができる。
図１１（ａ）において、ディスクＤを収容した後、第１カバー１と第２カバー２とを折り重ねるように第１折り部１１において閉じると共に、第１カバー１の外面に向かって箱型収容部４を折り返すように第４折り部１４において閉じ、さらに、第４折り部１４（１４ａ，１４ｂ）が鉛直方向に、かつ、正面を向くように立てた状態のディスク収容ケース５０が示されている。
また、図１１（ｂ）において、棚Ｒに複数のディスク収容ケース５０が収容された状態が示されている。
【００５６】
また、ディスク収容ケース５０は、第１カバー１と第２カバー２とが第１折り部１１を介して連接されると共に、第１カバー１とディスクＤの中心孔ｄに挿通されることとなる先端領域３３を備えるディスク保持部３とが第３折り部１３を介して連接され、さらに、第１カバー１又は第２カバー２と箱型収容部４とが第４折り部１４を介して連接される。また、ディスク保持部３が、第１カバー１の内面１ａに取り付けられる固定領域３１と、第１カバー１の内面１ａより立ち上がる起立領域３２とを有し、固定領域３１と起立領域３２とが、第２折り部１２を介して連成している一枚のシートを折ることにより形成されているものとすると望ましい。
【００５７】
ここで、第１カバー１と第２カバー２とディスク保持部３とが一体的に形成されたシートとしては、たとえば、図１２又は図１３に示すようなディスク収容ケース形成用シートとすることができる。図１２は、本発明に係るディスク収容ケース５０を形成するディスク収容ケース形成用シートを示す平面図であり、図１３は、本発明に係るディスク収容ケース５０を形成する他のディスク収容ケース形成用シートを示す平面図である。
図１２において、ディスク収容ケース形成用シート２００は、ディスクＤを覆うことが可能な大きさをそれぞれ有する第１カバー部１０１と第２カバー部１０２とを連接して備える。この第２カバー部１０２は、第２カバー基部となる第２カバー部第１シート片１０２ａと、凹部２１を形成するための凹部用第１孔部１２１ａを有し、ディスク押さえ片２２を備える第２カバー部第２シート片１０２ｂと、凹部２１を形成するための凹部用第２孔部１２１ｂを有する第２カバー部第３シート片１０２ｃとによって構成されている。また、第１カバー部１０１は、ディスクＤの中心孔ｄに挿通されることとなる先端領域３３を有するディスク保持片部１０３を連接して備える。
【００５８】
また、ディスク収容ケース形成用シート２００は、組み立て可能とする立体的な箱型収容部１０４を第２カバー部１０２に連接して備える。箱型収容部１０４は、ディスクＤに記録された内容に関連する物品等を収容することができるように、前面部と背面部と左右の側面部と上蓋部と下蓋部とによって箱状に形成することができる一般的な構造を有している。したがって、前面部と背面部と左右の側面部とによって周胴部を形成した後、その周胴部の開口部に、上蓋部と下蓋部とをそれぞれ被嵌することで箱状に組み立てるものとなっている。
【００５９】
また、ディスク収容ケース形成用シート２００は、第１カバー部１０２と第２カバー部（第２カバー部第１シート片）１０２ａとを区分し、一面２００ａ側において山折りとなる第１折り部１１を有する。また、ディスク保持片部１０３において、第１カバー部１０１へ取り付けられこととなる固定領域３１と、第１カバー部１０１へ取り付けられることなく立ち上がる起立領域３２とを区分し、一面２００ａ側において谷折りとなる第２折り部１２を有する。この第２折り部１２は、ミシン目３４を有すると望ましい。また、第１カバー部１０１とディスク保持部１０３とを区分し、一面２００ａ側において山折りとなる第３折り部１３とを有する。さらに、第２カバー部（第２カバー部第１シート片）１０２ａと箱型収容部１０４とを区分し、一面２００ａ側において山折りとなる第４折り部１４とを有する。
【００６０】
そして、第２カバー部１０２は、第２カバー部第１シート片１０２ａと第２カバー部第２シート片１０２ｂとを区分し、一面２００ａ側において山折りとなる凹部用第１折り部４１、及び第２カバー部第２シート片１０２ｂと第２カバー部第３シート片１０２ｃとを区分し、一面２００ａ側において山折りとなる凹部用第２折り部４２を有する。したがって、凹部用第２折り部４２において第２カバー部第３シート片１０２ｃを折り込むと共に、凹部用第１折り部４１において第２カバー部第２シート片１０２ｂ折り込むことで、上縁部にディスク押さえ片２２を備える凹部２１を、第２カバー部１０２上に効率良く簡単に形成することができる。なお、このディスク収容ケース形成用シート２００は、全体が紙材で形成されていると望ましい。
【００６１】
これにより、第１カバー１と第２カバー２とが第１折り部１１を介して連接されると共に、第１カバー１とディスクＤの中心孔ｄに挿通されることとなる先端領域３３を備えるディスク保持部３とが第３折り部１３を介して連接され、さらに、第２カバー２と箱型収容部４とが第４折り部１４を介して連接されることで、第１カバー１と第２カバー２とを折り重ねるように第１折り部１１において閉じた後、さらに、第１カバー１の外面に向かって折り返すように箱型収容部４を第４折り部１４において閉じることが可能なディスク収容ケース５０Ａを形成することができる。
【００６２】
また、図１３において、ディスク収容ケース形成用シート３００は、ディスクＤを覆うことが可能な大きさをそれぞれ有する第１カバー部１０１と第２カバー部１０２とを連接して備える。この第２カバー部１０２は、第２カバー基部となる第２カバー部第１シート片１０２ａと、凹部２１を形成するための凹部用第１孔部１２１ａを有し、ディスク押さえ片２２を備える第２カバー部第２シート片１０２ｂと、凹部２１を形成するための凹部用第２孔部１２１ｂを有する第２カバー部第３シート片１０２ｃとによって構成されている。また、第１カバー部１０１は、ディスクＤの中心孔ｄに挿通されることとなる先端領域３３を有するディスク保持片部１０３を連接して備える。
【００６３】
また、ディスク収容ケース形成用シート３００は、組み立て可能とする立体的な箱型収容部１０４を第１カバー部１０１に連接して備える。箱型収容部１０４は、ディスクＤに記録された内容に関連する物品等を収容することができるように、前面部と背面部と左右の側面部と上蓋部と下蓋部とによって箱状に形成することができる一般的な構造を有している。
【００６４】
また、ディスク収容ケース形成用シート３００は、第１カバー部１０２と第２カバー部（第２カバー部第１シート片）１０２ａとを区分し、一面３００ａ側において山折りとなる第１折り部１１を有する。また、ディスク保持片部１０３において、第１カバー部１０１へ取り付けられこととなる固定領域３１と、第１カバー部１０１へ取り付けられることなく立ち上がる起立領域３２とを区分し、一面３００ａ側において谷折りとなる第２折り部１２を有する。この第２折り部１２は、ミシン目３４を有すると望ましい。また、第１カバー部１０１とディスク保持部１０３とを区分し、一面３００ａ側において山折りとなる第３折り部１３とを有する。さらに、第１カバー部１０１と箱型収容部１０４とを区分し、一面３００ａ側において山折りとなる第４折り部１４とを有する。
【００６５】
そして、第２カバー部１０２は、第２カバー部第１シート片１０２ａと第２カバー部第２シート片１０２ｂとを区分し、一面３００ａ側において山折りとなる凹部用第１折り部４１、及び第２カバー部第２シート片１０２ｂと第２カバー部第３シート片１０２ｃとを区分し、一面３００ａ側において山折りとなる凹部用第２折り部４２を有する。したがって、凹部用第２折り部４２において第２カバー部第３シート片１０２ｃを折り込むと共に、凹部用第１折り部４１において第２カバー部第２シート片１０２ｂ折り込むことで、上縁部にディスク押さえ片２２を備える凹部２１を、第２カバー部１０２上に効率良く簡単に形成することができる。なお、このディスク収容ケース形成用シート２００は、全体が紙材で形成されていると望ましい。
【００６６】
これにより、第１カバー１と第２カバー２とが第１折り部１１を介して連接されると共に、第１カバー１とディスクＤの中心孔ｄに挿通されることとなる先端領域３３を備えるディスク保持部３とが第３折り部１３を介して連接され、さらに、第１カバー１と箱型収容部４とが第４折り部１４を介して連接されることで、第１カバー１と第２カバー２とを折り重ねるように第１折り部１１において閉じた後、さらに、第２カバー２の外面に向かって折り返すように箱型収容部４を第４折り部１４において閉じることが可能なディスク収容ケース５０Ｂを形成することができる。
【００６７】
なお、上記第２の実施の形態において、箱型収容部が第１カバーと連接され、第４折り部を介して第２カバーの外面に向かって折り返し可能となっているもの、及び箱型収容部が第２カバーと連接され、第４折り部を介して第１カバーの外面に向かって折り返し可能となっているものについて一例を挙げて説明したが、本発明では、関連する物品等の収容部を備えるものであればこれに限定されない。したがって、第１カバー又は第２カバーの外面に、第４折り部を介して箱型収容部が組み立て可能に形成されたものであっても良い。
【産業上の利用可能性】
【００６８】
本発明は、中心孔が設けられた円板状のディスクを取り扱う業種において産業上有用であり、特に、ＣＤやＤＶＤといった情報記録媒体を一枚ずつケース内に収納して提供する市場において有用である。
【図面の簡単な説明】
【００６９】
【図１】本発明に係るディスク収容ケースを示す図であり、図1（ａ）は第１カバーと第２カバーとを折り重ねるように閉じた状態示す斜視図であり、図1（ｂ）は第１カバーを開いた状態示す斜視図である。
【図２】本発明に係るディスク収容ケースによってディスクを保持する状態を示す斜視図である。
【図３】本発明に係るディスク収容ケースの開閉操作に伴うディスク保持片の動作を説明する模式図である。
【図４】本発明に係るディスク収容ケースにおけるディスク保持片の構造を説明する側図面である。
【図５】本発明に係るディスク収容ケースにおけるディスク保持片の構造を説明する平面面である。
【図６】本発明に係るディスク収容ケースにおけるディスク保持片の構造を説明する図であり、図６（ａ）は倒伏状態を示す部分拡大側面図、図６（ｂ）は起立状態を示す部分拡大側面図である。
【図７】本発明に係るディスク収容ケースを形成するディスク収容ケース形成用シートを示す平面図である。
【図８】図７に示すディスク収容ケース形成用シートの折ることによってディスク収容ケースを形成する手順を順次説明する図である。
【図９】図８に示すディスク収容ケースを形成する手順の続きを順次説明する図である。
【図１０】本発明に係る他のディスク収容ケースを示す図であり、図1０（ａ）は第１カバーと第２カバーと箱型収容部とを開いた状態から第１カバーと第２カバーとを折り重ねるように閉じることを示す斜視図であり、図1０（ｂ）は第１カバーと第２カバーとを折り重ねるように閉じた状態から箱型収容部を第１カバーへ向かって折り重ねるように閉じることを示す斜視図である。
【図１１】本発明に係る他のディスク収容ケースを示す図であり、図1１（ａ）はディスクを収容して立てて保管する状態を示す背面図であり、図1１（ｂ）は複数のディスク収容ケースを棚に収容した状態を示す背面図である。
【図１２】本発明に係る他のディスク収容ケースを形成するディスク収容ケース形成用シートを示す平面図である。
【図１３】本発明に係る他のディスク収容ケースを形成する他のディスク収容ケース形成用シートを示す平面図である。
【符号の説明】
【００７０】
Ｄ  ディスク、ｄ  中心孔、１  第１カバー、１ａ  内面、２  第２カバー、２ａ  内面、３  ディスク保持片、４  箱型収容部、１０，５０  ディスク収容ケース、１１  第１折り部、１２  第２折り部、１３  第３折り部、１４（１４ａ，１４ｂ）  第４折り部、２１  凹部、２２  押さえ片、３１  固定領域、３２  起立領域、３３  先端領域、３４  ミシン目、３５  段差部、４１  凹部用第１折り部、４２  凹部用第２折り部、１００，２００  ディスク収容ケース形成用シート、１００ａ，２００ａ  一面、１０１  第１カバー部、１０２ａ  第２カバー部第１シート片、１０２ｂ  第２カバー部第２シート片、１０２ｃ  第２カバー部第３シート片、１０３  ディスク保持部、１０４  箱型収容組み立て部、１２１ａ  凹部用第１孔部、１２１ｂ  凹部用第２孔部。
【図１】
2010095282.tif 000003
【図２】
2010095282.tif 000004
【図３】
2010095282.tif 000005
【図４】
2010095282.tif 000006
【図５】
2010095282.tif 000007
【図６】
2010095282.tif 000008
【図７】
2010095282.tif 000009
【図８】
2010095282.tif 000010
【図９】
2010095282.tif 000011
【図１０】
2010095282.tif 000012
【図１１】
2010095282.tif 000013
【図１２】
2010095282.tif 000014
【図１３】
2010095282.tif 000015